(57)【要約】【課題】携帯端末周辺に存在する他の携帯端末にて、当該携帯端末から発信された緊急呼を容易に認識する。【解決手段】携帯端末１０２を所持する利用者によって緊急事態を示す緊急情報の送信が指示された場合、緊急情報が携帯端末１０２から無線基地局１０１へ送信され、送信された緊急情報が無線基地局１０１から当該無線基地局が通信可能なカバーエリア１０４へブロードキャストで送信され、カバーエリア内に存在する携帯端末１０３−１〜１０３−ｎにて受信される。【選択図】図１
2008077562.tif 000002
【特許請求の範囲】
【請求項１】
無線基地局と、該無線基地局に無線によって接続された携帯端末とを有してなる緊急呼発信補助システムにおいて、
前記携帯端末は、該携帯端末を所持する利用者によって緊急事態を示す緊急情報の送信が指示された場合、前記緊急情報を前記無線基地局へ送信し、
前記無線基地局は、前記携帯端末から送信されてきた緊急情報を当該無線基地局が通信可能なエリアへブロードキャストで送信することを特徴とする緊急呼発信補助システム。
【請求項２】
請求項１に記載の緊急呼発信補助システムにおいて、
前記通信可能なエリアに存在する携帯端末は、前記無線基地局から送信された緊急情報を受信し、前記受信された緊急情報に基づいた表示情報を表示することを特徴とする緊急呼発信補助システム。
【請求項３】
携帯端末を有する緊急呼発信補助システムにおいて、
前記携帯端末は、該携帯端末を所持する利用者によって緊急事態を示す緊急情報の送信が指示された場合、当該携帯端末が近距離無線通信の可能なエリアへ前記緊急情報を前記近距離無線通信を用いてブロードキャストで送信することを特徴とする緊急呼発信補助システム。
【請求項４】
請求項３に記載の緊急呼発信補助システムにおいて、
前記近距離無線通信が可能なエリアに存在する携帯端末は、前記携帯端末から送信された緊急情報を受信し、前記受信された緊急情報に基づいた表示情報を表示することを特徴とする緊急呼発信補助システム。
【請求項５】
請求項４に記載の緊急呼補助システムにおいて、
前記緊急情報を受信した携帯端末に接続された無線基地局を有し、
前記緊急情報を受信した携帯端末は、前記受信された緊急情報を前記無線基地局へ送信することを特徴とする緊急呼発信補助システム。
【請求項６】
請求項１または請求項３に記載の緊急呼発信補助システムにおいて、
前記携帯端末は、該携帯端末が位置する位置情報を含む緊急情報を送信することを特徴とする緊急呼発信補助システム。
【請求項７】
無線基地局と、該無線基地局に無線によって接続された携帯端末とを用いた緊急呼発信補助方法であって、
前記携帯端末が、該携帯端末を所持する利用者によって緊急事態を示す緊急情報の送信が指示された場合、前記緊急情報を前記無線基地局へ送信する処理と、
前記無線基地局が、前記携帯端末から送信されてきた緊急情報を当該無線基地局が通信可能なエリアへブロードキャストで送信する処理とを有する緊急呼発信補助方法。
【請求項８】
請求項７に記載の緊急呼発信補助方法において、
前記通信可能なエリアに存在する携帯端末が、前記無線基地局から送信された緊急情報を受信する処理と、
前記通信可能なエリアに存在する携帯端末が、前記受信された緊急情報に基づいた表示情報を表示する処理とを有することを特徴とする緊急呼発信補助方法。
【請求項９】
携帯端末を用いた緊急呼発信補助方法であって、
前記携帯端末が、該携帯端末を所持する利用者によって緊急事態を示す緊急情報の送信が指示された場合、当該携帯端末が近距離無線通信の可能なエリアへ前記緊急情報を前記近距離無線通信を用いてブロードキャストで送信する処理を有する緊急呼発信補助方法。
【請求項１０】
請求項９に記載の緊急呼発信補助方法において、
前記近距離無線通信が可能なエリアに存在する携帯端末が、前記携帯端末から送信された緊急情報を受信する処理と、
前記近距離無線通信が可能なエリアに存在する携帯端末が、前記受信された緊急情報に基づいた表示情報を表示する処理とを有することを特徴とする緊急呼発信補助方法。
【請求項１１】
請求項１０に記載の緊急呼発信補助方法において、
前記緊急情報を受信した携帯端末が、前記受信された緊急情報を当該携帯端末に接続された無線基地局へ送信する処理を有することを特徴とする緊急呼発信補助方法。
【発明の詳細な説明】
【技術分野】
【０００１】
本発明は、緊急時の携帯端末からの緊急呼の発信を補助する緊急呼発信補助システム及び緊急呼発信補助方法に関する。
【背景技術】
【０００２】
従来、病気や事故等の緊急事態が発生した場合、「１１０」や「１１９」の特別番号に電話をかけて、警察や消防署、病院といった機関に対して緊急の通報を行う方法が採られている。
【０００３】
また、近年、携帯端末を所持する利用者の急激な増加に伴い、携帯端末のために構築されるネットワーク等のインフラ（インフラストラクチャー）についても日々進歩・発展してきている。これにより、いつどこにいても携帯端末を所持していれば、連絡を取ることが容易になっている。
【０００４】
この携帯端末が市場に登場するまでは、上述した緊急時の通報は、一般的な固定加入電話や公衆電話を用いて電話をかけるといった方法がとられていたが、携帯端末の普及に伴い、手短にある携帯端末から緊急呼を発信する場面が増えてきている。
【０００５】
しかしながら、人の命に関わり、一刻を争うような場面においては、手短にある携帯端末を用いて緊急呼を発信しても、さらなる時間の短縮が求められることがある。
【０００６】
例えば、通報により救急車等の緊急車両が現場に到着するまでの時間が長い場合、通報から緊急車両の到着までの間に何らかの処置が要求される。
【０００７】
また、通報しようとする者が所持する携帯端末の存在エリアが通信圏外等の遮断されたエリアである場合は、すぐに通報することができない。
【０００８】
そこで、携帯端末が通報で用いる無線とは異なる近距離無線通信を用いて、当該携帯端末の近くに存在する他の携帯端末へ緊急の情報の送信を行う技術が考えられている（例えば、特許文献１，２参照。）。
【０００９】
また、情報を受信した他の携帯端末から、受信された緊急の情報を通報すべきセンターへ通知する技術が考えられている（例えば、特許文献１参照。）。
【００１０】
また、通報されたセンターや基地局にて当該携帯端末が存在する近くに存在する携帯端末を認識し、それらの携帯端末へ通報を転送する技術が考えられている（例えば、特許文献１，３，４参照。）。
【特許文献１】特開２００３−１０９１６０号公報
【特許文献２】特開２００３−０３６４９３号公報
【特許文献３】特表２００５−５１０１５７号公報
【特許文献４】特開２００５−２２２３７３号公報
【発明の開示】
【発明が解決しようとする課題】
【００１１】
しかしながら、特許文献１に記載された技術においては、当該携帯端末が緊急の情報緒を送信する送信先を指定しなければならないという問題点がある。
【００１２】
また、特許文献２に記載された技術においては、様々な情報を送信しなければならないという問題点がある。
【００１３】
また、特許文献１，３，４に記載された技術においては、センターや基地局が通報を転送する転送先を指定しなければならないという問題点がある。
【００１４】
さらに、特許文献４に記載された技術においては、当該携帯端末が存在する位置を示す地図を添付しなければならないという問題点がある。
【００１５】
本発明は、上述したような従来の技術が有する問題点に鑑みてなされたものであって、携帯端末周辺に存在する他の携帯端末にて、当該携帯端末から発信された緊急呼を容易に認識することができる緊急呼発信補助システム及び緊急呼発信補助方法を提供することを目的とする。
【課題を解決するための手段】
【００１６】
上記目的を達成するために本発明は、
無線基地局と、該無線基地局に無線によって接続された携帯端末とを有してなる緊急呼発信補助システムにおいて、
前記携帯端末は、該携帯端末を所持する利用者によって緊急事態を示す緊急情報の送信が指示された場合、前記緊急情報を前記無線基地局へ送信し、
前記無線基地局は、前記携帯端末から送信されてきた緊急情報を当該無線基地局が通信可能なエリアへブロードキャストで送信することを特徴とする。
【００１７】
また、前記通信可能なエリアに存在する携帯端末は、前記無線基地局から送信された緊急情報を受信し、前記受信された緊急情報に基づいた表示情報を表示することを特徴とする。
【００１８】
また、携帯端末を有する緊急呼発信補助システムにおいて、
前記携帯端末は、該携帯端末を所持する利用者によって緊急事態を示す緊急情報の送信が指示された場合、当該携帯端末が近距離無線通信の可能なエリアへ前記緊急情報を前記近距離無線通信を用いてブロードキャストで送信することを特徴とする。
【００１９】
また、前記近距離無線通信が可能なエリアに存在する携帯端末は、前記携帯端末から送信された緊急情報を受信し、前記受信された緊急情報に基づいた表示情報を表示することを特徴とする。
【００２０】
また、前記緊急情報を受信した携帯端末に接続された無線基地局を有し、
前記緊急情報を受信した携帯端末は、前記受信された緊急情報を前記無線基地局へ送信することを特徴とする。
【００２１】
また、前記携帯端末は、該携帯端末が位置する位置情報を含む緊急情報を送信することを特徴とする。
【００２２】
また、無線基地局と、該無線基地局に無線によって接続された携帯端末とを用いた緊急呼発信補助方法であって、
前記携帯端末が、該携帯端末を所持する利用者によって緊急事態を示す緊急情報の送信が指示された場合、前記緊急情報を前記無線基地局へ送信する処理と、
前記無線基地局が、前記携帯端末から送信されてきた緊急情報を当該無線基地局が通信可能なエリアへブロードキャストで送信する処理とを有する。
【００２３】
また、前記通信可能なエリアに存在する携帯端末が、前記無線基地局から送信された緊急情報を受信する処理と、
前記通信可能なエリアに存在する携帯端末が、前記受信された緊急情報に基づいた表示情報を表示する処理とを有することを特徴とする。
【００２４】
また、携帯端末を用いた緊急呼発信補助方法であって、
前記携帯端末が、該携帯端末を所持する利用者によって緊急事態を示す緊急情報の送信が指示された場合、当該携帯端末が近距離無線通信の可能なエリアへ前記緊急情報を前記近距離無線通信を用いてブロードキャストで送信する処理を有する。
【００２５】
また、前記近距離無線通信が可能なエリアに存在する携帯端末が、前記携帯端末から送信された緊急情報を受信する処理と、
前記近距離無線通信が可能なエリアに存在する携帯端末が、前記受信された緊急情報に基づいた表示情報を表示する処理とを有することを特徴とする。
【００２６】
また、前記緊急情報を受信した携帯端末が、前記受信された緊急情報を当該携帯端末に接続された無線基地局へ送信する処理を有することを特徴とする。
【００２７】
上記のように構成された本発明においては、携帯端末を所持する利用者によって緊急事態を示す緊急情報の送信が指示された場合、緊急情報が携帯端末から当該携帯端末に接続された無線基地局へ送信され、送信された緊急情報が無線基地局から当該無線基地局が通信可能なエリアへブロードキャストで送信される。
【００２８】
これにより、当該携帯端末の近辺に存在する携帯端末に対して、近辺で緊急事態が発生している通知を行うことができ、その際に無線基地局は送信先を指定する必要は無い。
【発明の効果】
【００２９】
以上説明したように本発明においては、携帯端末を所持する利用者によって緊急事態を示す緊急情報の送信が指示された場合、緊急情報を携帯端末から当該携帯端末に接続された無線基地局へ送信し、送信された緊急情報を無線基地局から当該無線基地局が通信可能なエリアへブロードキャストで送信する構成としたため、携帯端末周辺に存在する他の携帯端末にて、当該携帯端末から発信された緊急呼を容易に認識することができる。
【発明を実施するための最良の形態】
【００３０】
以下に、本発明の実施の形態について図面を参照して説明する。
【００３１】
（第１の実施の形態）
図１は、本発明の緊急呼発信補助システムの第１の実施の形態を示す図である。
【００３２】
本形態は図１に示すように、無線基地局１０１と、携帯端末１０２，１０３−１〜１０３−ｎと、病院１０５とから構成されている。また、無線基地局１０１が通信可能なエリアをカバーエリア１０４とする。携帯端末１０２は、緊急事態を通報する携帯端末であり、カバーエリア１０４内に存在する。ここで、携帯端末１０２は、携帯端末１０２の位置を認識することができるＧＰＳ機能等が搭載されたものである。携帯端末１０３−１〜１０３−ｎは、カバーエリア１０４内に存在する携帯端末である。病院１０５は、携帯端末１０１が緊急事態を通報する通報先である機関である。この機関は、病院１０５以外にも、警察署や消防署等が考えられる。
【００３３】
図２は、図１に示した無線基地局１０１の一構成例を示す図である。
【００３４】
図１に示した無線基地局１０１には図２に示すように、アンテナ２０１と、送受信部２０２と、信号識別部２０３と、転送部２０４とが設けられている。アンテナ２０１は、無線基地局１０１との間にて通信される電波の送受信を行う。送受信部２０２は、アンテナ２０１にて受信された信号及びアンテナ２０１から送信される信号の送受信処理を行う。信号識別部２０３は、アンテナ２０１を介して送受信部２０２にて受信された信号が、緊急事態を示す緊急情報かどうかを識別する。転送部２０４は、信号識別部２０３にて識別された緊急情報を転送する。なお、図２においては、本発明に関する構成要素のみを示した。
【００３５】
以下に、上記のように構成された緊急呼発信補助システムにおける緊急呼発信補助方法について説明する。
【００３６】
図３は、図１及び図２に示した緊急呼発信補助システムにおける緊急呼発信補助方法を説明するためのシーケンス図である。
【００３７】
まず、携帯端末１０２を所持する利用者が緊急事態を示す緊急情報の送信を指示すると、当該緊急情報が携帯端末１０２から無線基地局１０１へ送信される（ステップＳ１）。
【００３８】
ここで緊急情報の内容の詳細については特に規定しないが、携帯端末１０２に搭載されたＧＰＳ機能により取得された携帯端末１０２の位置を示す位置情報が含まれているものが望ましい。また、緊急情報は、携帯端末１０２，１０３−１〜１０３−ｎと無線基地局１０１とにおいて、他の情報と識別可能なものである必要がある。例えば、緊急情報には、当該情報が緊急情報である旨を示す所定の識別子が付与されるものであっても良い。
【００３９】
また、緊急事態を示す緊急情報の送信を指示するには、携帯端末１０２の所定のキーを押すことによって指示するものであっても良いし、「１１０」や「１１９」といった緊急の特別番号等の所定の番号を携帯端末１０２に入力することによって指示するものであっても良い。さらに、携帯端末１０２に緊急情報送信用の専用のボタンを設けて、設けられたボタンを押すことによって指示するものであっても良い。
【００４０】
携帯端末１０２から送信された緊急情報が無線基地局１０１のアンテナ２０１を介して送受信部２０２にて受信されると（ステップＳ２）、受信された信号が緊急情報であるかどうかが信号識別部２０３にて識別される。受信された信号が緊急情報以外の情報であると識別された場合、通常の処理が行われる。
【００４１】
一方、受信された信号が緊急情報であると識別された場合は、当該緊急情報が転送部２０４から送信される（ステップＳ３）。このとき、当該緊急情報は、無線基地局１０１が通信可能なカバーエリア１０４へブロードキャストで送信される。ここで、３ＧＰＰ（3rd Generation Partnership Project）に本発明が適用された場合を例に挙げると、システム制御情報の報知に使用される下り方向のチャネルであるＢＣＣＨを用いて緊急情報をブロードキャストする方法が考えられる。また同時に、本来の通報先である病院１０５等の機関への通報も行われる。
【００４２】
無線基地局１０１からブロードキャストで送信された緊急情報は、カバーエリア１０４内に存在する携帯端末１０３−１〜１０３−ｎにて受信される（ステップＳ４）。そして、携帯端末１０３−１〜１０３−ｎにて受信された緊急情報に基づいた表示情報が携帯端末１０３−１〜１０３−ｎの画面に表示される（ステップＳ５）。
【００４３】
ここで表示情報の内容の詳細については特に規定しないが、受信された緊急情報に基づくものであり、例えば、「近くに緊急を要する携帯端末が存在します。」等の緊急事態を示す情報であれば良い。また、緊急情報に含まれる携帯端末１０２の位置情報を示すものであっても良い。
【００４４】
また、緊急情報が受信された後、無条件で表示情報が表示されるものであっても良いし、緊急情報が受信された旨がまず表示され、それに基づいた表示情報を表示するかどうかを携帯端末１０３−１〜１０３−ｎにて選択できるものであっても良い。
【００４５】
図４は、緊急情報が受信された携帯端末１０３−１〜１０３−ｎにおける処理の一例を説明するためのフローチャートである。
【００４６】
携帯端末１０３−１〜１０３−ｎにて緊急情報が受信されると（ステップＳ１１）、緊急情報が受信された旨が表示される（ステップＳ１２）。例えば、携帯端末１０３−１〜１０３−ｎの画面上に、「緊急情報を受信しました。」等、緊急情報が受信されたことを知らせる通知が表示される。
【００４７】
そして、受信された緊急情報に基づいた表示情報を表示するかどうかが選択される（ステップＳ１３）。これは、携帯端末１０３−１〜１０３−ｎの画面上で、表示情報を表示するかどうかを選択することが可能であれば良く、例えば、「表示情報表示」と「非表示」との選択肢が表示され、これらの選択肢を携帯端末１０３−１〜１０３−ｎを所持する者が選択するものであっても良い。
【００４８】
受信された緊急情報に基づいた表示情報を表示することが選択された場合、受信された緊急情報に基づいた表示情報が表示される（ステップＳ１４）。表示される表示情報については上述したものが考えられる。
【００４９】
一方、受信された緊急情報に基づいた表示情報を表示しないことが選択された場合は、携帯端末１０３−１〜１０３−ｎの画面が待ち受け画面等の通常の画面に戻る（ステップＳ１５）。
【００５０】
以上説明したように、携帯端末１０２から緊急情報が発信された場合、携帯端末１０２が接続されている無線基地局１０１経由で通知される機関以外であっても、無線基地局１０１が通信可能なカバーエリア１０４内に存在する携帯端末１０３−１〜１０３−ｎにおいても、近くで緊急事態が発生したことが認識できるため、より素早い緊急事態への対応が可能となる。さらに、緊急情報が無線基地局１０１からブロードキャストで送信されるため、無線基地局１０１において、送信先を指定する必要はない。
【００５１】
（第２の実施の形態）
図５は、本発明の緊急呼発信補助システムの第２の実施の形態を示す図である。
【００５２】
本形態は図５に示すように、近距離無線通信である無線ＬＡＮ通信が可能な携帯端末１０２及び携帯端末１０６−１〜１０６−ｎが、互いに無線ＬＡＮ通信が可能なエリアである無線ＬＡＮエリア１０７内に存在している。なお、図５においては、携帯端末１０２，１０６−１〜１０６−ｎにて行われる無線ＬＡＮ通信の無線ＬＡＮ基地局を省略した。
【００５３】
以下に、上記のように構成された緊急呼発信補助システムにおける緊急呼発信補助方法について説明する。
【００５４】
図６は、図５に示した緊急呼発信補助システムにおける緊急呼発信補助方法を説明するためのシーケンス図である。
【００５５】
まず、携帯端末１０２を所持する利用者が緊急事態を示す緊急情報の送信を指示すると、当該緊急情報が携帯端末１０２から無線ＬＡＮエリア１０７内へブロードキャストで送信される（ステップＳ１１）。
【００５６】
ここで緊急情報の内容の詳細については、第１の実施の形態にて説明したものと同様である。
【００５７】
また、緊急事態を示す緊急情報の送信方法についても、第１の実施の形態にて説明したものと同様である。
【００５８】
携帯端末１０２からブロードキャストで送信された緊急情報は、無線ＬＡＮエリア１０７内に存在する携帯端末１０６−１〜１０６−ｎにて受信される（ステップＳ２２）。そして、携帯端末１０６−１〜１０６−ｎにて受信された緊急情報に基づいた表示情報が表示される（ステップＳ２３）。
【００５９】
ここで表示情報の内容の詳細については特に規定しないが、受信された緊急情報に基づくものであり、例えば、「近くに緊急を要する携帯端末が存在します。」等の緊急事態を示す情報であれば良い。また、緊急情報に含まれる携帯端末１０２の位置情報を示すものであっても良い。
【００６０】
また、緊急情報が受信された後、無条件で表示情報が表示されるものであっても良いし、緊急情報が受信された旨がまず表示され、それに基づいた表示情報を表示するかどうかを携帯端末１０６−１〜１０６−ｎにて選択できるものであっても良い。
【００６１】
図７は、緊急情報が受信された携帯端末１０６−１〜１０６−ｎにおける処理の一例を説明するためのフローチャートである。
【００６２】
携帯端末１０６−１〜１０６−ｎにて緊急情報が受信されると（ステップＳ３１）、緊急情報が受信された旨が表示される（ステップＳ３２）。例えば、携帯端末１０６−１〜１０６−ｎの画面上に、「緊急情報を受信しました。」等、緊急情報が受信されたことを知らせる通知が表示される。
【００６３】
そして、受信された緊急情報に基づいた表示情報を表示するかどうかが選択される（ステップＳ３３）。これは、携帯端末１０６−１〜１０６−ｎの画面上で、表示情報を表示するかどうかを選択することが可能であれば良く、例えば、「表示情報表示」と「非表示」との選択肢が表示され、これらの選択肢を携帯端末１０６−１〜１０６−ｎを所持する者が選択するものであっても良い。
【００６４】
受信された緊急情報に基づいた表示情報を表示することが選択された場合、受信された緊急情報に基づいた表示情報が表示される（ステップＳ３４）。表示される表示情報については上述したものが考えられる。
【００６５】
一方、受信された緊急情報に基づいた表示情報を表示しないことが選択された場合は、携帯端末１０６−１〜１０６−ｎの画面が待ち受け画面等の通常の画面に戻る（ステップＳ３５）。
【００６６】
以上説明したように、携帯端末１０２から緊急情報が発信された場合、近距離無線通信である無線ＬＡＮ通信が可能な無線ＬＡＮエリア１０７内に存在する携帯端末１０６−１〜１０６−ｎにおいても、近くで緊急事態が発生したことが認識できるため、より素早い緊急事態への対応が可能となる。さらに、緊急情報が携帯端末１０２からブロードキャストで送信されるため、携帯端末１０２において、送信先を指定する必要はない。
【００６７】
なお、本形態においては、近距離無線通信として無線ＬＡＮを用いたものを例に挙げて説明したが、Ｂｌｕｅｔｏｏｔｈのような近距離無線通信を用いたものも考えられる。
【００６８】
（第３の実施の形態）
図８は、本発明の緊急呼発信補助システムの第３の実施の形態を示す図である。
【００６９】
本形態は図８に示すように、無線基地局１０１と、携帯端末１０２，１０６−１〜１０６−ｎと、病院１０５とから構成されている。また、無線基地局１０１が通信可能なエリアをカバーエリア１０４とする。携帯端末１０６−１〜１０６−ｎは、カバーエリア１０４内に存在する。また、携帯端末１０２，１０６−１〜１０６−ｎは、近距離無線通信である無線ＬＡＮ通信が可能な携帯端末である。携帯端末１０２及び携帯端末１０６−２は、互いに無線ＬＡＮ通信が可能な無線ＬＡＮエリア１０７内に存在する。なお、図８においては、携帯端末１０２と１０６−２との間にて行われる無線ＬＡＮ通信の無線ＬＡＮ基地局を省略した。また、病院１０５は、携帯端末１０１が緊急事態を通報する通報先である機関である。この機関は、病院１０５以外にも、警察署や消防署等が考えられる。
【００７０】
図９は、図８に示した携帯端末１０６−１〜１０６−ｎの一構成例を示す図である。
【００７１】
図８に示した携帯端末１０６−１〜１０６−ｎには図９に示すように、アンテナ９０１，９０６と、送受信部９０２，９０５と、信号識別部９０３と、転送部９０４とが設けられている。アンテナ９０１は、無線ＬＡＮを用いて通信される電波の送受信を行う。送受信部９０２は、アンテナ９０１にて受信された信号及びアンテナ９０１から送信される信号の送受信処理を行う。信号識別部９０３は、アンテナ９０１を介して送受信部９０２にて受信された信号が、緊急事態を示す緊急情報かどうかを識別する。転送部９０４は、信号識別部９０３にて識別された緊急情報を転送する。アンテナ９０６は、無線基地局１０１との間における電波の送受信を行う。送受信部９０５は、アンテナ９０６にて受信された信号及びアンテナ９０６から送信される信号の送受信処理を行う。なお、図９においては、本発明に関する構成要素のみを示した。
【００７２】
以下に、上記のように構成された緊急呼発信補助システムにおける緊急呼発信補助方法について説明する。
【００７３】
図１０は、図８及び図９に示した緊急呼発信補助システムにおける緊急呼発信補助方法を説明するためのシーケンス図である。
【００７４】
まず、携帯端末１０２を所持する利用者が緊急事態を示す緊急情報の送信を指示すると、当該緊急情報が携帯端末１０２から無線ＬＡＮエリア１０７内へブロードキャストで送信される（ステップＳ４１）。
【００７５】
ここで緊急情報の内容の詳細については、第１及び第２の実施の形態にて説明したものと同様である。
【００７６】
また、緊急事態を示す緊急情報の送信方法についても、第１及び第２の実施の形態にて説明したものと同様である。
【００７７】
携帯端末１０２からブロードキャストで送信された緊急情報は、無線ＬＡＮエリア１０７内に存在する携帯端末１０６−２のアンテナ９０１を介して送受信部９０２にて受信される（ステップＳ４２）。そして、受信された信号が緊急情報であるかどうかが信号識別部９０３にて識別される。受信された信号が緊急情報以外の情報であると識別された場合、通常の処理が行われる。
【００７８】
一方、受信された信号が緊急情報であると識別された場合は、当該緊急情報が転送部９０４から送受信部９０５及びアンテナ９０６を介して、無線基地局１０１との間において送受信される電波に乗せられて送信される（ステップＳ４３）。
【００７９】
そして、携帯端末１０６−２から送信された緊急情報は、無線基地局１０１にて受信される（ステップＳ４４）。
【００８０】
以上説明したように、携帯端末１０２が無線基地局１０１が通信可能なカバーエリア１０４から外れた通信圏外に存在する場合であっても、他の通信手段を用いて近くの携帯端末１０６−２を介して無線基地局１０１に緊急情報を送信することができるため、本来の通報先である病院１０５等の機関への通報が可能となる。
【００８１】
また、携帯端末１０６−２にて受信された緊急情報を、他の通信手段を用いて、当該通信手段により接続可能な携帯端末に対して携帯端末１０６−２から送信することも考えられる。これにより、多くの携帯端末にて緊急情報を受信することができ、より素早い緊急事態への対応が可能となる。
【００８２】
また、本形態においては第２の実施の形態と同様に、近距離無線通信として無線ＬＡＮを用いたものを例に挙げて説明したが、Ｂｌｕｅｔｏｏｔｈのような近距離無線通信を用いたものも考えられる。
【００８３】
なお、上述した第１〜３の実施の形態をそれぞれ組み合わせた形態も考えられる。
【図面の簡単な説明】
【００８４】
【図１】本発明の緊急呼発信補助システムの第１の実施の形態を示す図である。
【図２】図１に示した無線基地局の一構成例を示す図である。
【図３】図１及び図２に示した緊急呼発信補助システムにおける緊急呼発信補助方法を説明するためのシーケンス図である。
【図４】緊急情報が受信された携帯端末における処理の一例を説明するためのフローチャートである。
【図５】本発明の緊急呼発信補助システムの第２の実施の形態を示す図である。
【図６】図５に示した緊急呼発信補助システムにおける緊急呼発信補助方法を説明するためのシーケンス図である。
【図７】緊急情報が受信された携帯端末における処理の一例を説明するためのフローチャートである。
【図８】本発明の緊急呼発信補助システムの第３の実施の形態を示す図である。
【図９】図８に示した携帯端末の一構成例を示す図である。
【図１０】図８及び図９に示した緊急呼発信補助システムにおける緊急呼発信補助方法を説明するためのシーケンス図である。
【符号の説明】
【００８５】
１０１    無線基地局
１０２，１０３−１〜１０３−ｎ，１０６−１〜１０６−ｎ    携帯端末
１０４    カバーエリア
１０５    病院
１０７    無線ＬＡＮエリア
２０１，９０１，９０６    アンテナ
２０２，９０２，９０５    送受信部
２０３，９０３    信号識別部
２０４，９０４    転送部
【図１】
2008077562.tif 000003
【図２】
2008077562.tif 000004
【図３】
2008077562.tif 000005
【図４】
2008077562.tif 000006
【図５】
2008077562.tif 000007
【図６】
2008077562.tif 000008
【図７】
2008077562.tif 000009
【図８】
2008077562.tif 000010
【図９】
2008077562.tif 000011
【図１０】
2008077562.tif 000012